(57)【要約】【目的】組み込みスペースが少なく、しかもローコストで達成する。【構成】プレワインド時にはスプール２３がフイルム送り出し方向に回転し、スプール用ギヤ３２を同方向に回転させる。スプール用ギヤ３２には、同軸上にロック部材７０がフリクション係合している。ロック部材７０は、スプール用ギヤ３２と同方向に回転してロック位置となる。ロック位置では、ロック部材７０に設けた係合部７０ａがシャッタ部材５７の下に入ってシャッタ部材５７の押下操作を阻止する。１コマ給送時には、スプール用ギヤ３２がスプール２３をフイルム巻き込み方向に回転させる。ロック部材７０は、スプール用ギヤ３２と同方向に回転して今度は係合部７０ａをシャッタ部材５７の下から退避したロック解除位置となる。【選択図】        図３
2004302000.tif 000002
【特許請求の範囲】
【請求項１】
フイルム給送用モータの駆動を利用して写真フイルムを給送し、シャッタ部材を押下操作することで撮影を行うカメラにおいて、
撮影時に写真フイルムを１コマずつ給送するときの回転方向とは逆の方向にフイルム給送用モータが回転することに連動して係合部が前記シャッタ部材の下に入って押下操作を阻止するレリーズ阻止手段を備えたことを特徴するカメラ。
【請求項２】
前記レリーズ阻止手段は、
フイルム給送用モータのギヤを含みそのギヤからモータの駆動が伝達されるギヤ列の一部のギヤと、
フイルム１コマ給送時の回転方向とは逆の方向にフイルム給送用モータが回転するときの前記一部のギヤの回転方向に従動することで前記係合部がシャッタ部材の下に入ってシャッタ部材の押下操作を阻止するロック位置と、フイルム１コマ給送時の回転方向にフイルム給送用モータが回転するときの前記一部のギヤの回転方向に従動することで前記係合部をシャッタ部材の下から退避して前記シャッタ部材の押下操作を許容するロック解除位置との間で移動するロック部材とで構成されていることを特徴とする請求項１記載のカメラ。
【請求項３】
前記ロック部材は、前記一部のギヤと同軸上で回転が支持されており、前記一部のギヤとの間の摩擦抵抗により回転され、その回転が一対のストッパによってロック位置とロック解除位置との二位置で規制されていることを特徴とする請求項２記載のカメラ。
【発明の詳細な説明】
【０００１】
【発明の属する技術分野】
本発明は、撮影時以外のフイルム給送中にシャッタレリーズをロックしておく機構を設けた写真用のカメラに関するものである。
【０００２】
【従来の技術】
従来、写真用カメラでは、裏蓋の開閉に応答してフイルム給送用モータを正転してパトローネから未露光の写真フイルムを１コマ分の長さずつ送り出しながら撮影を行い、全ての撮影コマに撮影を行った後に、外部スイッチを操作することでフイルム給送用モータを逆転して露光済みの写真フイルムの全部をパトローネに巻き込むようにしている（特許文献１）。
【０００３】
撮影完了後に写真フイルムをパトローネに巻き込むフイルム給送中にシャッタレリーズがなされると二重露光となる不都合が生じる。このため、特許文献１記載のローコストのカメラでは、外部スイッチ部材を設け、全部の撮影コマに撮影を完了した後にその外部スイッチ部材を操作することでフイルム給送用モータを逆転させるスイッチをＯＮするとともに、その外部スイッチ部材の移動に連動してシャッタ駆動レバーをチャージ位置にロックしてシャッタ羽根の開閉が行われないようにしている。
【０００４】
【特許文献１】
特開平８−２９２４８７号公報（段落番号００６５、００６９）
【０００５】
【発明が解決しようとする課題】
しかしながら、外部スイッチ部材とシャッタ駆動レバーとの連係を取るために、双方の部品に連係部を設ける必要があるため、外部スイッチ部材とシャッタ駆動レバーとの形状が複雑になりコストアップの要因となる。また、メカ的な連係であるため、外部スイッチ部材の操作に力が必要となり、操作が簡便ではなかった。このため、特許文献１記載のシャッタロック機構は、ローコスト型のコンパクトカメラには不向きであった。
【０００６】
本発明は上記事情を考慮してなされたもので、撮影以外の時に使用するフイルム給送中にシャッタレリーズを阻止するメカ機構をローコストで作るとともに、そのための操作を簡便にしたカメラを提供することを目的とする。
【０００７】
【課題を解決するための手段】
カメラのフイルム給送には、順巻き上げと予備巻き上げ方式とがある。順巻き上げ方式は、パトローネから写真フイルムを引き出しながら撮影を行い、全ての撮影コマに撮影を行った後に撮影済みの写真フイルムをパトローネに巻き戻す。
他方、予備巻き上げ方式は、予めパトローネから未露光の写真フイルムを全部引き出し、その後撮影を行いながらパトローネに巻き込む。どちらの方式でも撮影時に行う１コマ給送以外のフイルム給送中にシャッタレリーズがなされると、二重露光となる不都合が生じるおそれがある。
【０００８】
そこで、請求項１記載の発明では、フイルム給送用モータが撮影時にフイルムを１コマずつ給送するときの回転方向とは異なる方向に回転することに連動して係合部がシャッタ部材の下に移動してシャッタレリーズを阻止するレリーズ阻止手段を備えたものである。
【０００９】
レリーズ阻止手段としては、フイルム給送用モータの駆動を利用して写真フイルムを給送するためのギヤ列と；シャッタ部材の一部に係合する係合部をもっており、フイルム１コマ給送時の回転方向とは逆の方向にフイルム給送用モータが回転するときの、前記ギヤ列を構成するうちの一部のギヤの回転方向に従動して前記係合部がシャッタ部材の一部に係合してシャッタレリーズを阻止するロック位置と、フイルム１コマ給送時の回転方向にフイルム給送用モータが回転するときの前記一部のギヤの回転方向に従動して前記係合部を前記一部から退避して前記シャッタレリーズのロックを解除する解除位置との間で移動するロック部材と；で構成するのが、モータのギヤあるいはフイルム給送用ギヤの回転方向にロック部材を従動させるため、機構が簡単であるため好適である。また、フイルム給送用ギヤ列のうちの一部のギヤに対して駆動が摩擦伝達されるロック部材とするのが、さらに機構自体を簡素化することができるため望ましい。
【００１０】
【作用】
順巻き上げ方式のカメラでは、フイルム給送モータを正転することで写真フイルムをパトローネから引き出して巻き軸に巻き取りながら撮影を行い、全ての撮影コマに撮影が完了することでフイルム給送モータを逆転駆動して撮影済みの写真フイルムをパトローネに巻き込む。この逆転駆動に連動してレリーズ阻止手段に設けた係合部がシャッタ部材の下に入り込んでシャッタ部材の押下操作を阻止する。
【００１１】
レリーズ阻止手段をロック部材とする場合には、フイルム給送用ギヤ列を構成する一部のギヤがフイルム給送モータの回転に応じた方向に回転することでロック部材がその方向に従動してロック位置に移動し、ロック部材の係合部がシャッタ部材の一部に係合してシャッタレリーズを阻止する。逆に撮影中にはフイルム給送モータが正転するからそれに応じた方向に一部のギヤが回転し、その回転に従動してロック部材がロック解除位置に移動し、よって係合部がシャッタ部材との係合位置から退避する。これによりシャッタレリーズが許容される。
【００１２】
予備巻き上げ方式のカメラの場合には、最初にフイルム給送用モータを正転して未露光の写真フイルムの全部を巻き取り軸に巻き取り、その後撮影を行いながらフイルム給送用モータを逆転して撮影済みの写真フイルムをパトローネに巻き込む。この場合には、一部のギヤがフイルム給送モータの正転に応じた方向に回転することでロック部材がその方向に従動してロック位置に移動してシャッタレリーズを阻止する。逆に撮影中にはフイルム給送モータが逆転するからそれに応じた方向に一部のギヤが回転し、その回転に従動してロック部材が解除位置に移動する。
【００１３】
【発明の実施の形態】
図１に示すように、カメラ１０には、正面に撮影レンズ１１とファインダ１２が、上面左寄りにシャッタボタン１３が、さらには背面に裏蓋１４が外部に露呈してそれぞれ設けられている。
【００１４】
カメラ１０は、図２に示すように、前カバー１５と後カバー１６とで本体部１７を挟装した構造となっている。本体部１７には、左側にパトローネ装填室１８、右側にフイルム巻き取り室１９とがそれぞれ設けられており、これらの室の間に暗箱２６が形成されている。暗箱２６の奥にはアパーチャーが形成されている。暗箱２６は、撮影レンズ１１を通った被写体光をアパーチャーに導く。アパーチャーは、パトローネ装填室１８とフイルム巻き取り室１９との間の背面に形成されたフイルム通路上に形成されている。
【００１５】
後カバー１６には、フイルム交換時に開閉される裏蓋１４が開閉自在に取り付けられている。裏蓋１４には、パトローネ装填室１８の底を閉じる底部が設けられ、パトローネは、カメラ１０の底からスプールの軸方向に沿って装填される。
【００１６】
本体部１７には、詳しくは後述するフイルム巻き止め機構を含むフイルム給送機構、シャッタチャージ機構、及びフイルムカウンタ機構などが取り付けられる。
【００１７】
パトローネ装填室１８には、図３に示すように、フイルム先端が露呈した市販状態となっている１３５タイプの写真フイルムパトローネ２０が装填される。写真フイルムパトローネ２０は、パトローネ２１と写真フイルム２２とで構成されている。パトローネ装填室１８には、パトローネ２１のスプール２３に係合してスプール２３を回転させるフォーク２４が設けられている。また、フイルム巻き取り室１９には、巻き取り軸２５が回転自在に設けられている。
【００１８】
なお、このカメラ１０は、予めパトローネ２１から巻き取り軸２５に全ての写真フイルム２２を巻き取る予備巻き上げ給送を行った後に、撮影しながらパトローネ２１に巻き込みを行う予備巻き上げ式となっている。
【００１９】
図３ないし図５に示すように、フイルム給送機構は、フイルム給送用モータ２７、ギヤ列２８、遊星歯車機構２９、巻き取り軸伝達用ギヤ列３０、スプール伝達用ギヤ列３１、及びフォーク２４とで構成されており、モータ２７の駆動をその回転方向に応じてスプール２３又は巻き取り軸２５との何れか一方に伝達する。なお、符号２７ａはモータギヤである。
【００２０】
巻き取り軸２５は、筒状をしており、内部にフイルム給送用モータ２７が配され、また外周上部に巻き取り軸伝達用ギヤ列３０を構成する巻き取り用ギヤ３７が形成されている。スプール伝達用ギヤ列３１には、出力ギヤがスプール駆動用ギヤ３２となっている。このギヤ３２に、フォーク２４が形成されている。
【００２１】
モータ２７の駆動は、ギヤ列２８、遊星歯車機構２９の太陽歯車３３へ順に伝達される。ここで、予備巻き上げ給送時には、モータ２７が正転（図４において反時計方向）し、また１コマ給送時にはモータ２７が逆転する。遊星歯車機構２９は、モータ２７の駆動の回転方向に応じて遊星歯車３４が公転してその噛合位置が二位置の間で切り替わる。一方は、モータ２７の正転駆動を巻き取り軸伝達用ギヤ列３０に入力する位置であり、また他方は、モータ２７の逆転駆動をスプール伝達用ギヤ列３１に入力する位置である。なお、遊星歯車３４は二段ギヤとなっており、一方の大ギヤ３４ａが太陽歯車３３に噛合し、他方の小ギヤ３４ｂが出力ギヤとなっている。
【００２２】
ギヤ列２８は、大ギヤ３５ａと小ギヤ３５ｂとからなる二段ギヤ３５、及びその小ギヤ３５ｂに噛合するギヤ３６とからなり、ギヤ３６が太陽歯車３３に噛合してモータ２７の駆動を遊星歯車機構２９に入力する。巻き取り軸伝達用ギヤ列３０は、巻き取り軸に設けた巻き取り用ギヤ３７となっており、モータ２７が正転駆動したときにその巻き取り用ギヤ３７に遊星歯車３４の小ギヤ３４ｂが噛合する。スプール伝達用ギヤ列３１は、遊星歯車３４の小ギヤ３４ｂが噛合する入力ギヤ３８、スプール駆動用ギヤ３２、及びこれらの間に配される５個のギヤ３８〜４１とで構成されている。なお、ギヤ４１ａとギヤ４１ｂとは同軸上で結合されており、一緒に回転するギヤである。
【００２３】
詳しくは図３に示すように、フイルム通路の上部には、パーフォレーション２２ａに係合するスプロケット４５が設けられている。スプロケット４５は、軸部材４６により回転自在に支持されている。軸部材４６には同軸にシャッタセットカム４７が係合する。
【００２４】
なお、軸部材４６には、スイッチ片４８が設けられている。スイッチ片４８は、スプロケット４５が回転するとフイルム給送検知用のスイッチ４９をＯＮ−ＯＦＦする。１コマ給送時の場合、そのスイッチ４９から得られる信号のうちのＯＮからＯＦＦに変わる立ち下がり信号を検知することに応答してモータ２７の駆動を停止する。
【００２５】
軸部材４６とシャッタセットカム４７との間には、一方向クラッチが内蔵されている。一方向クラッチは、フイルム巻き取り室１９からパトローネ装填室１８に向けた巻き込み方向（１コマ給送方向）への写真フイルム２２の移送に応じたスプロケット４５の回転のみをシャッタセットカム４７に伝達し、逆方向へスプロケット４５が回転した時にはその回転をシャッタセットカム４７に伝達しない。つまり、予備巻き上げ給送の時にはシャッタセットカム４７が回転することはない。
【００２６】
シャッタセットカム４７には、シャッタチャージ用のカム４７ａが設けられている。カム４７ａは、１コマ給送方向に応じたスプロケット４５の回転のみが伝達され、この回転を利用して詳しくは後述するシャッタ駆動レバー５０と係止レバー５１とを順次に回転させてシャッタチャージを行う。
【００２７】
シャッタ駆動レバー５０は、第１軸５２を中心としてチャージ位置とレリーズ完了位置との間で回転し、チャージバネ５３によりレリーズ完了位置に向けて付勢されている。係止レバー５１は、第２軸５４を中心として保持位置と解除位置との間で回転し、バネ５５により解除位置に向けて付勢されている。シャッタセットカム４７が回転すると、シャッタ駆動レバー５０がチャージ位置に回転され、次に係止レバー５１が保持位置に回転する。係止レバー５１が保持位置に回転すると、一端がシャッタ部材５７に係合してその位置に保持されるとともに、シャッタ駆動レバー５０をチャージ位置に保持する。
【００２８】
なお、１コマ給送時でのモータ２７を駆動するタイミングを取るために、チャージ検知用のスイッチ５８が設けられている。チャージ検知用のスイッチ５８は、シャッタ駆動レバー５０がチャージ位置に回転するとＯＮし、レリーズ完了位置に回転するとＯＦＦする。
【００２９】
シャッタ部材５７は、弾性を有する材料で水平面部５７ａと垂直面部５７ｂとを接合したＬ字形状に形成されている。垂直面部５７ｂはパトローネ装填室１８の前面に昇降自在に取り付けられ、また水平面部５７ａはパトローネ装填室１８の上に配される。水平面部５７ａには上面にシャッタボタン１３が設けられており、また下面に下方に伸びたガイド軸５７ｃが設けられている。
【００３０】
ガイド軸５７ｃは、ガイド孔５９に入り込み、シャッタ部材５７の昇降をガイドする。そのガイド孔５９は、スプール駆動用ギヤ３２をパトローネ装填室１８との間で回転可能に覆う支持板６０の上面に形成されている。また、ガイド軸５７ｃとガイド孔５９との間には、バネ６１が設けられている。バネ６１は、シャッタ部材５７を上昇位置に向けて付勢する。シャッタボタン１３を押下操作すると、シャッタ部材５７がバネ６１の付勢に抗して下降位置に移動し、この移動に連動して係止レバー５１との係合が解除される。
【００３１】
なお、シャッタ部材５７の下にはレリーズ検知用のスイッチ６２が配されている。レリーズ検知用のスイッチ６２は、シャッタ部材５７が下降位置、すなわちシャッタレリーズのときにＯＮして、シャッタ部材５７が上昇位置、すなわちレリーズ解除のときにＯＦＦする。
【００３２】
このようにシャッタレリーズがなされると、係止レバー５１が解除位置に向けて回転し、シャッタ駆動レバー５０のチャージ位置での保持を解除する。これにより、シャッタ駆動レバー５０は、チャージ位置からレリーズ完了位置に向けてチャージバネ５３の付勢により瞬時に回転する。この回転途中で、シャッタ駆動レバー５０に設けた蹴飛ばし片５０ａがシャッタ羽根６３の一端６３ａを蹴飛ばす。シャッタ羽根６３は、一端６３ａが蹴飛ばされることで軸６４を中心としてシャッタ開口６５の前面で一往復揺動する。その後は引き戻しバネ６６によってシャッタ開口６５を塞ぐ位置に戻される。
【００３３】
露光が完了すると、シャッタ駆動レバー５０がレリーズ完了位置に回転している。また、係止レバー５１が解除位置に位置している。また、シャッタ部材５７は、上昇位置に戻されている。１コマ給送時でのモータ２７の駆動開始は、チャージ検知用のスイッチ５８がＯＦＦし、かつレリーズ検知用のスイッチ６２がＯＦＦしていることに応答して行われる。
【００３４】
スプール駆動用ギヤ３２には、図６に示すように、上面に輪郭円形の凸部３２ａが形成されている。凸部３２ａは、ロック部材７０を回転自在に支持する。ロック部材７０は、スプール駆動用ギヤ３２との間での摩擦抵抗によってスプール駆動用ギヤ３２の回転方向に従動して回転する。この回転は、支持板６０に設けた一対のストッパ６０ａ，６０ｂによって二位置の間で規制されている。予備巻き上げ給送の時には図３において一方のストッパ６０ｂに当接するロック位置となる。また、１コマ給送時には、他方のストッパ６０ｂに当接してロック解除位置となる。
【００３５】
ロック部材７０には、係合部７０ａが設けられている。係合部７０ａは、ロック部材７０がロック位置のときにシャッタ部材５７の水平面部５７ａの下に入り込んでシャッタ部材５７の下降位置への移動を阻止する。またロック解除位置のときには、係合部７０ａが水平面部５７ａの下から退避してシャッタ部材５７の下降位置への移動を許容する。
【００３６】
予備巻き上げ給送時にはスプール２３に、フイルム給送用モータ２７の正転駆動が直接に伝達されない。しかし、フイルム給送用モータ２７が正転すると巻き取り軸２５が写真フイルム２２をパトローネ２１から引き出す。このため、パトローネ２１のスプール２３もフイルム送り出し方向に回転される。これにより、スプール駆動用ギヤ３２が図３において時計方向に回転し、この回転に従動してロック部材７０が時計方向に回転してロック位置となる。よって予備巻き上げ給送時にはシャッタレリーズが確実に阻止される。
【００３７】
逆に、１コマ給送時には、フイルム給送用モータ２７の逆転駆動がスプール駆動用ギヤ３２に直接に伝達されるため、ロック部材７０は図３において反時計方向に回転してロック解除位置に回転し、よってシャッタレリーズが許容される。
【００３８】
次に、図７及び図８を参照しながら上記構成の作用を説明する。カメラ１０の裏蓋１４を開いて写真フイルムパトローネ２０を装填する。
【００３９】
フイルム装填は、パトローネ２１をパトローネ装填室１８に装填し、且つ予め露呈しているフイルム先端を巻き取り軸２５に引っ掛かる長さまで引き出してから裏蓋１４を閉める。これにより、フイルム先端が裏蓋１４に設けた押さえローラと巻き取り軸２５とで挟装される。
【００４０】
裏蓋の開閉は、裏蓋開閉用のスイッチ（図示なし）が検知している。このスイッチから得られる信号がＯＦＦからＯＮに変化し、かつレリーズ検知用のスイッチ６２がＯＦＦであることに応答してフイルム給送用モータ２７が正転駆動する。
【００４１】
モータ２７の正転駆動が駆動すると、図４において遊星歯車３４が時計方向に公転してそれの小ギヤ３４ｂが巻き取り用ギヤ３７に噛合してモータ２７の正転駆動が巻き取り軸２５に伝達される。巻き取り軸２５がフイルム巻き取り方向に回転すると、巻き取り軸２５に設けた爪２５ａがパーフォレーション２２ａに係合することで写真フイルム２２が巻き取り軸２５に巻き取られてゆく。このとき、スプール伝達用ギヤ列３１は、遊星歯車機構２９と噛合が解除され、フリーとなっている。
【００４２】
巻き取り軸２５は、図４において時計方向に回転して写真フイルム２２を巻き取る。これにより、写真フイルム２２がパトローネ２１から引き出され、スプール２３がフイルム送り出し方向に回転し、スプール駆動用ギヤ３２が図３において時計方向に回転する。ロック部材７０は、この回転に従動して時計方向に回転してロック位置に回転する。ロック位置に回転すると、係合部７０ａがシャッタ部材５７の水平面部５７ａの下に入り込んでシャッタ部材５７の下降位置への移動を阻止する。このように予備巻き上げ給送中にシャッタレリーズを阻止するから二重に露光されるような不都合を確実に防止することができる。
【００４３】
予備巻き上げ給送中は、写真フイルム２２が送り出し方向に移送されているから、スプロケット４５及び軸部材４６が図３に示す時計方向に回転し、フイルム給送検知用のスイッチ４９をＯＮ−ＯＦＦしている。そして、予備巻き上げが完了すると、写真フイルム２２の全部が巻き取り軸２５に巻き取られる。このとき、フイルム給送検知用のスイッチ４９のＯＮ−ＯＦＦの繰り返し信号がなくなり、ＯＮ又はＯＦＦとの何れか一方の信号のみの検知となる。この信号の変化を検知してから一定時間経過後にフイルム給送用モータ２７の正転駆動が停止される。
【００４４】
予備巻き上げ給送が完了すると、フイルム給送用モータ２７が逆転駆動される。これにより、遊星歯車機構２９の駆動伝達経路が切り替わり、今度はスプール駆動用ギヤ３２にモータ２７の駆動が伝達され、スプール駆動用ギヤ３２がフイルム巻き取り方向に回転し、写真フイルム２２がパトローネ２１に巻き込まれる。このとき、スプール駆動用ギヤ３２が図３において反時計方向に回転するため、ロック部材７０も反時計方向に回転してロック解除位置となる。これにより、係合部７０ａがシャッタ部材５７の水平面部５７ａの下から退避してシャッタ部材５７の昇降移動を許容する。
【００４５】
一方、写真フイルム２２の移送に連動してスプロケット４５が回転してシャッタチャージが行われる。そして、フイルム給送検知用のスイッチ４９から得られる信号のうちのＯＮからＯＦＦに変わる立ち下がり信号を検知することに応答してモータ２７の駆動を停止する。これにより、１コマ給送が完了し、最初の撮影コマがアパーチャーにセットされた状態となる。なお、このとき、シャッタチャージも完了しており、チャージ検知用のスイッチ５８がＯＮしている。
【００４６】
シャッタボタン１３を押下操作すると、シャッタ部材５７が下降位置に移動して係止レバー５１の保持が解除される。そして係止レバー５１が解除位置に回転する。これにより、シャッタ駆動レバー５０がレリーズ完了位置に向けて回転してシャッタ羽根６３を蹴飛ばし、そしてシャッタ羽根６３が撮影光軸６３ｂを横切るように揺動することで写真フイルム２２に露光が行われる。露光完了後にはシャッタ駆動レバー５０がレリーズ完了位置に回転しているため、チャージ検知用のスイッチ５８がＯＦＦする。このスイッチ５８がＯＦＦで且つレリーズ検知用のスイッチ６２がＯＦＦすることに応答してフイルム給送用のモータ２７の逆転駆動が開始される。
【００４７】
以下、前述したと同じにフイルム給送検知用のスイッチ４９から得られる信号に基づいてモータ２７の駆動を停止し、シャッタレリーズ後にチャージ検知用のスイッチ５８から得られる信号に基づいてモータ２７を再駆動することで順次に撮影を行ってゆくことができる。最後の撮影コマに撮影を完了すると、フイルムカウンタ機構がフイルム給送検知用のスイッチ４９を無効化し、モータ２７の駆動時間を稼ぐ。そして、フイルム給送検知用のスイッチ４９を無効化すると、モータ２７は、一定時間経過後に駆動を停止する。この間に、全ての撮影済みの写真フイルム２２がパトローネ２１に収納される。
【００４８】
上記実施形態では、ロック部材７０をロック位置と解除位置との二位置の間で回転させているが、代わりに、スライド移動としてもよい。また、ロック部材７０を移動させるためのギヤとしては、スプール駆動用ギヤ３２に限らず、フイルム給送用モータの駆動が伝達されるギヤであれば、いずれのギヤを用いてもよい。また、ロック部材７０を一部のギヤに直接に係合させる構造に限らず、リンク機構などを介して間接的に係合させる構造としてもよい。さらには、フイルム給送用のギヤ列ではなく、フイルム給送用モータ２７のギヤ２７ａの回転方向に応じて移動するロック部材としてもよい。
【００４９】
さらに、上記実施形態のカメラでは、シャッタボタン１３の下方にパトローネ装填室１８を配する構成としているが、代わりにフイルム巻き取り室を配しても良い。この場合、巻き取り軸伝達用ギヤ列の一部のギヤを利用してロック部材を二位置の間で移動させる構成にすればよい。また、シャッタボタン１３を有するシャッタ部材５７を下降させてシャッタレリーズを行うようにしているが、代わりに、シャッタボタン自体を弾性変形自在にして押下操作したときの弾性変形によってレリーズするように構成してもよい。この場合はロック部材でシャッタボタンの弾性変形を阻止するように係合部をシャッタボタンの下又は一部に係合させる構成にすればよい。
【００５０】
【発明の効果】
以上説明したように、本発明によれば、フイルム給送用モータの回転方向が１コマ給送時の回転方向とは逆の回転となったときにシャッタ部材の押下操作を阻止するレリーズ阻止手段を備えたから、従来技術で説明しように、外部スイッチを設けてその操作に連動してシャッタボタンの押下操作を阻止する、という複雑な連動機構を必要せず、ローコストで達成することができる。
【００５１】
また、フイルム給送用モータの駆動が伝達されるギヤ列のうちの一部のギヤの回転方向にロック部材を従動させる発明によれば、ロック部材を一部のギヤと一緒に回転させることができ、より構造が簡単で、しかもギヤ列は多数あるから配置スペース的にも制約を受けずに組み込める。さらに、一部のギヤの摩擦抵抗を利用してロック部材を回転させる発明では、一部のギヤとロック部材とを直接に係合させることができるから、部品点数の削減を図ることができる。
【図面の簡単な説明】
【図１】カメラの外観を示す斜視図である。
【図２】カメラの内部の要部を示す分解斜視図である。
【図３】フイルム給送機構、シャッタチャージ機構、及びレリーズ阻止手段を概略的に示す斜視図である。
【図４】予備巻き上げ給送時のフイルム給送用ギヤ列を示す説明図である。
【図５】１コマ給送時のフイルム給送用ギヤ列を示す説明図である。
【図６】シャッタ部材、一部のギヤ、及びロック部材の要部を示す斜視図である。
【図７】予備巻き上げ給送時の動作を示すフローチャート図である。
【図８】１コマ給送時の動作を示すフローチャート図である。
【符号の説明】
１３  シャッタボタン
１８  パトローネ装填室
２５  巻き取り軸
２７  フイルム給送用モータ
２９  遊星歯車機構
３２  スプール駆動用ギヤ
５７  シャッタ部材
７０  ロック部材
７０ａ  係合部
【図１】
2004302000.tif 000003
【図２】
2004302000.tif 000004
【図３】
2004302000.tif 000005
【図４】
2004302000.tif 000006
【図５】
2004302000.tif 000007
【図６】
2004302000.tif 000008
【図７】
2004302000.tif 000009
【図８】
2004302000.tif 000010